Podtech/llm-jp-corpus-v4-ja_patent huggingface dataset:
(57)【要約】【課題】食材の洗浄や、茹であげた食材の冷却方法の主流である「水をかけ洗う」「水をかけ冷ます」作業において、水の飛散の抑制と洗浄や冷却の効率の向上が計れ、なおかつ衛生的に使用できる調理器具を提供する。【解決手段】底面のみザル様の孔形状を呈し、側面は壁状とした逆四角錘台形または逆円錐台形のザル。側面を壁状にすることにより、側面からの水の飛散を抑制できる。また、洗浄や冷却の水が側面から逃げることなく底面よりのみ放出されるので、容器内の食材間を冷却水が確実に通過していき、洗浄や冷却の効率化が計れる。  さらに底面外側に足を設けることにより、水はけを良くし、前記の洗浄や冷却の効率化、衛生保持を計るザルである。【選択図】図１
2006334350.tif 000002
【特許請求の範囲】
【請求項１】
底面のみにザル様の孔形状を呈し側面を壁状とすることにより、容器内の食材を洗浄もしくは冷却するために使用した水が側面より溢れだし飛沫となり周囲へ飛び散るのを抑止できることを特徴とする、所定深さ及び所定容量を有した、逆四角錘台形または逆円錐台形のザル。
【請求項２】
底面のみにザル様の孔形状を呈し側面を壁状とすることにより、容器内の食材を洗浄もしくは冷却するために使用した水が、容器側面より溢れ出ることなく確実に食材間を通過することを特徴とする、請求項１に記載の逆四角錘台形または逆円錐台形のザル。
【請求項３】
底面外側に、所定高さの足を安定して自立できるよう所定間隔を有し所定個数設けたことにより、所定場所に配置した際、容器底部裏面側と配置場所表面との間に空間が得られるため、使用時に、前記使用水が容器底部より効率良く排出されるという構造を特徴とする、請求項１または請求項２に記載の逆四角錘台形または逆円錐台形のザル。
【請求項４】
底面外側に、所定高さの足を安定して自立できるよう所定間隔を有し所定個数設けたことにより、所定場所に配置した際、容器底部裏面側と配置場所表面との間に空間が得られるため、使用時に、容器外へ排出された前記使用水の逆流水が容器内の食材に再度触れることなく、衛生的に食材の冷却や洗浄ができるという構造を特徴とする、請求項１〜３のいずれかに記載の逆四角錘台形または逆円錐台形のザル。
【発明の詳細な説明】
【技術分野】
【０００１】  本発明は、主に食材の洗浄、冷却に用いるザルに関する。
【背景技術】
【０００２】  従来の、主に食材の洗浄、冷却に用いるザル（図３、図４）は、その鍔部を除く形成面の全てに孔が設けられた目の細かいかごである（例えば非特許文献１参照。）。
また、前記の従来技術によるザルや近似品のパンチボールやパンチボールの改良品には底面外側に、所定高さの安定して自立できるよう所定間隔を有する、所定個数の足が一体的に設けられておらず、本体底部の裏面側がシンク等の使用面に直接触れる構造である（例えば特許文献１参照。）。
【非特許文献１】岩波国語辞典  第四版
【特許文献１】特開２００２−３０６３５１号  公報
【発明の開示】
【発明が解決しようとする課題】
【０００３】  しかしながら、以上の技術によれば、洗浄や冷却に用いる水が、ザルの壁面から、食材を洗浄、冷却することなく溢れ出てしまう分がある。【０００４】  また、ザルの壁面から溢れ出た分の洗浄や冷却に用いた水は、飛沫となり周囲に飛散し、調理場等を汚染する原因となってしまう。【０００５】  さらに所定場所に配置した際、容器底部裏面側と配置場所表面との間に空間が得られず、使用時に、容器外へ排出された前記使用水が裏面部に停留し容器内の食材に触れ、配置場所の雑菌や汚れ等を媒介する要因となり、食材の冷却や洗浄が衛生的に行えない。【０００６】  そこで、この発明は、洗浄や冷却に用いる水が確実に食材間を通過し、食材の洗浄や冷却の効率化を計り、なおかつ洗浄や冷却に用いる水が周囲に飛散しない衛生的なザルを提供することを課題とする。
【課題を解決するための手段】
【０００７】  以上の課題を解決するために、本発明の第一構成及び第二構成は、ザル様の孔を底面のみとし、側面は壁状にすることを特徴とするザルである。
また本発明の第三構成及び第四構成は、ザルの底面外側に足を設けることを特徴とするザルである。
【発明の効果】
【０００８】  本発明の第一構成によれば、側面を壁状にしたことにより、食材の洗浄や冷却に用いる水が側面より周囲に飛散することなく、調理場を汚染する原因要素が抑止できる。【０００９】  本発明の第二構成によれば、側面を壁状にしたことにより、食材の洗浄や冷却に用いる水が確実に食材間を通過し、底面へのみ抜けるようになり、洗浄や冷却の効率化が計れる。【００１０】  本発明の第三構成によれば、底面外側に足を設けることにより底部裏面側とシンク等の配置面との間に空間ができるため、洗浄水や冷却水がザル底部から効率良く流れ落ち、洗浄や冷却の効率化が計れる。【００１１】  本発明の第四構成によれば、底面外側に足を設けることにより底部裏面側とシンク等の配置面との間に空間ができるため、シンク等に直接置いても洗浄水や冷却水の逆流水に触れることなく、食材の汚染を抑止でき、衛生的である。
【発明を実施するための最良の形態】
【００１２】  この発明の一実施形態を図１、図２に示す。
ザルは適性素材製であり、底面外側には足が一体的に複数個設けられている。足は所定高さを有し、安定して自立できるよう所定間隔を有し所定個数設ける。さらに、足には防汚、防カビ対策として開口部を持たせない。
また、逆錘台形の形状により複数を重ねることができるため、空間を無駄に占有することなく収納できる。
【産業上の利用可能性】
【００１３】  本発明品の素材を耐薬品性や耐油性、耐熱性のそれぞれの素材に変更することにより、機械部品等の薬剤洗浄、溶媒洗浄、蒸気洗浄などに用いることができる。この場合も薬剤や溶媒、蒸気などの周囲への飛散抑止が可能である。
【図面の簡単な説明】
【００１４】
【図１】この発明の逆四角錘台形ザルの一実施形態を示す斜視図である。
【図２】この発明の逆円錘台形ザルの一実施形態を示す斜視図である。
【図３】従来技術による逆四角錘台形ザルを示す斜視図である。
【図４】従来技術による逆円錘台形ザルを示す斜視図である。
【符号の説明】
【００１５】      Ａ  本体（逆四角錘台形）    Ｂ  本体（逆円錐台形）
１  足                      ２  ザル様形状
【図１】
2006334350.tif 000003
【図２】
2006334350.tif 000004
【図３】
2006334350.tif 000005
【図４】
2006334350.tif 000006
(57)【要約】【課題】歩行補助具の杖を一時手から離す時、杖を倒れないように置く事が困難である。杖が倒れ床に落ちる事態は、肢体不自由な方にとって不安と苦痛である。生活行動の自立を援助するため、杖の転倒防止用グリップゴムキャップを提供する。【解決手段】帯状の天然ゴムの中央に等間隔で穴を開ける。これを杖のグリップ小指側にリング状に巻きつける。ゴムは摩擦抵抗が大きくテーブル、カウンターに掛ける、壁に立て掛けるなどして杖の転倒を防止することが可能になる。【選択図】    図１
2006334349.tif 000002
【特許請求の範囲】
【請求項１】
帯状天然ゴムの中央に、等間隔の穴を開ける
【請求項２】
請求項１の帯状天然ゴムをリング状に形成する
【請求項３】
請求項２の円周は、杖の円周マイナス１０ｍｍにする
【発明の詳細な説明】
【技術分野】
【０００１】本発明は杖を歩行補助具として用いる時、用事で杖を手から離す折に、杖が倒れるのを防止する。杖のグリップ部分は、木製を中心に樹脂製がある。
グリップ部分は、テーブル、カウンター、洗面台に置いたり立て掛けたりした時、摩擦抵抗が小さいために滑り、かつグリップと本体部分のバランスが悪く、滑りに加えて本体部分の回転が加わり杖は落下転倒する。身体機能の歩行補助具である杖の石突き部には、滑り防止が考案されているが、杖自体の転倒には対策がない。倒れた杖を拾う時に自らが転倒する危険、倒れた杖により起こる事故を防止するため、グリップにキャップを取り付けることで、歩行補助具杖の安全と安心を計るものです。
【背景分野】
【０００２】従来品の中に杖の転倒防止器があるが、垂直面および水平面に対応した形態である。グリップと本体との接続部に取り付ける磁気プレートで、９０度の可動域を持つ。
【発明が解決しようとする課題】
【０００３】従来品は杖を置く場所を、垂直面と水平面において用いる方法である。
垂直固定には、磁気プレートがくっつく鉄製の壁に限定される。水平面の固定には９０度角の水平面が条件になる。杖は日常生活、社会生活で歩行を補助する。杖を置く面の形状、材質に対応できるシステムが望まれる。
本発明は、これらの問題点を解決するためになされたものである。
【課題を解決するための手段】
【０００４】帯状の天然ゴムの中央に、等間隔で穴をあける。これをリング状にする。
杖のグリップ部分の小指側につける。リング状ゴムの円周は平均的な杖の円周より小さくする。取り付ける際には変形するが、取り付け時にかかる力を除くと元に戻ろうとする性質により、グリップにフィットする。
【発明の効果】
【０００５】本発明は杖を木製テーブル、高いカウンター、イスの背、陶器の洗面台、木製円形手摺り、金属性円形手摺り、ドアノブ、壁紙の壁面、大理石の壁面に立て掛けたり、突起部分に引っ掛ける事が出来る。この事により杖を安定した状態で手元に置くことが出来る。従来ある製品に比べ、使用範囲が拡大された。
帯状のゴムに穴を開けたことで、杖本体の揺らぎにより杖と接する面が移動した時、ゴムの穴の断面が摩擦抵抗を大きくし、滑りを阻止する。
【発明を実施するための最良の形態】
【０００６】この発明は、帯状天然ゴム幅２１ｍｍ厚さ１．１ｍｍに、直径５ｍｍの穴を打ち抜いた。帯状天然ゴムを巻きつけただけのテストでは、使用７ヶ月後、ゴム表面が手垢、手の皮脂等でコーティング状態になり摩擦抵抗が小さくなった。穴を開けたことで穴の厚さ１．１ｍｍの断面が摩擦抵抗を大きくする効果を果たした。杖を置く場所の高低により杖がが動いた時、穴の位置で止まる。
この帯状穴付き天然ゴムを杖の円周マイナス１０ｍｍのリング状にし、杖のグリップ小指側にゴムを伸展させてはめる。伸展したゴムは力が除かれたあと、元に戻ろうとしてグリップに密着する。これによりゴムは、ズレ、脱落することなく安定した位置を確保する。
本発明は以上の構成からなるので、本発明を使用するときはグリップの一部にゴムリングの一部をくぐらせ指で抑え、対角線になる位置のゴム部分を伸展させ全体をグリップにはめる。
【図面の簡単な説明】
【０００７】
【図１】帯状天然ゴム幅２１ｍｍ厚さ１．１ｍｍに５ｍｍの穴を明けリング状にした全体図
【図２】帯状天然ゴムリングの断面図
【符号の説明】
【０００８】１穴明きゴムリング
２穴明きゴムリング断面
【図１】
2006334349.tif 000003
【図２】
2006334349.tif 000004
(57)【要約】【課題】  浴場内に於いてタオルの清潔な置き場所と取り違えによる紛失を防ぐことを目的として、タオル受け架台にタオル受けを接続したタオル置き具を提供する。【解決手段】  平面床接地面からの高さを設けて形成されたタオル受け架台部１と、そのタオル受け架台部１の上に置いたタオルを保持できるように両側板を形成したタオル受け部２とからなる事を特徴とするタオル置き具。【選択図】  図３
2006334341.tif 000002
【特許請求の範囲】
【請求項１】
平面床接地面からの高さを設けて形成されたタオル受け架台部と、そのタオル受け架台部の上に置いたタオルを保持できるように両側板を形成したタオル受け部とからなる事を特徴とするタオル置き具。
【発明の詳細な説明】
【技術分野】
【０００１】  本発明は、タオル受け架台にタオル受けを接続したタオル置き具に関するものである。
【背景技術】
【０００２】  従来、公共浴場内で浴槽に浸かる時、自分のタオルは、不衛生な浴槽の縁、手摺り、岩の上などに直に置いていた。また、小物入れかごを持参する人もあった。
【発明の開示】
【発明が解決しようとする課題】
【０００３】  そのために、次のような問題点があった。
（イ）タオルがお湯に触れて不潔で不衛生であった。
（ロ）他人のタオルと取り違える恐れがあった。
（ハ）かごの持ち運びは手間がかかり不便であった。
本発明は、これらの問題点を解決するために、タオルの清潔な置き場所と取り違えによるタオルの紛失を防ぐ事を目的としてなされたものである。
【課題を解決するための手段】
【０００４】  平面床接地面からの高さを設けて形成されたタオル受け架台部と、そのタオル受け架台部の上に置いたタオルを保持できるように両側板を形成したタオル受け部とからなる事を特徴とするタオル置き具である。
【発明の効果】
【０００５】  平面床接地面より高くしたタオル受け架台部の効果により、タオル受け部にタオルを小さく折り畳んで入れる事により、タオルは浴槽の縁材に触れる事もなくお湯にも浸からず衛生的である。また、移動して他の浴槽に浸かる時も、小さくて持ち運びに便利であり倒れず常に自分の近くの浴槽の縁にタオルを置く事が出来、取り違えの恐れも無くなった。
【発明を実施するための最良の形態】
【０００６】  以下、本発明の実施の形態１について説明する。
図１は、この発明の実施の形態１を示すタオル置き具の正面図である。図２は、図１の側面図である。
図において、１はタオル受け架台部であり平面床接地面より高くなるように形成してある。例えば、高さ３０ミリ幅４０ミリ長さ１２０ミリの立体であり、左右対称の平面床接地面を得るように形成して、倒れを防ぎ安定を保持する事が出来る形態をしている。
２はタオルを置くタオル受け部であり、タオルを保持できるように両側板を形成した側面Ｕ字形に見え蓋なしの形態をしている。
例えば、タオル受け架台部１とタオル受け部２は、板状の合成樹脂材などで別々に形成し各々の中心を合わせてネジ又は接着剤で接続する方法と合成樹脂射出成形にて一体形で形成する方法もある。又、タオル受け架台部１とタオル受け部２をバネのついたクリップ方式で形成する方法もある。
図３は、この発明の斜視図である。図４は、この発明の使用状態を示す説明図である。
【図面の簡単な説明】
【０００７】
【図１】本発明の正面図
【図２】本発明の側面図
【図３】本発明の斜視図
【図４】本発明の使用状態を示す説明図
【符号の説明】
【０００８】    １  タオル受け架台部
２  タオル受け部
【図１】
2006334341.tif 000003
【図２】
2006334341.tif 000004
【図３】
2006334341.tif 000005
【図４】
2006334341.tif 000006
(57)【要約】【課題】  睡眠効果を促進して、例えば赤ちゃんの夜鳴きを緩和、成人の睡眠障害の改善、リラックス効果を促すことができるＣＤ。【解決手段】  人間の寝息の音を音源に、鼻呼吸、口呼吸、鼻呼吸と口呼吸が合わされたものを一定の時間で録音編集されたＣＤやＭＤである。これを就寝時に再生し聴くことによって、赤ちゃんの夜鳴きの緩和や睡眠障害の改善ができる。【選択図】  なし【特許請求の範囲】
【請求項１】
睡眠促進、精神安定を促す効果を生じ、睡眠障害などを改善する、人間の寝息の音（鼻呼吸、口呼吸、鼻呼吸と口呼吸の合わされたもの）を音源として編集録音されたＣＤ。
【発明の詳細な説明】
【技術分野】
【０００１】  この発明は、睡眠障害等で不眠に悩む人たちの改善と、リラックス効果を促進する寝息の音を録音したＣＤ（コンパクトディスク）である。
【背景技術】
【０００２】  従来、不眠に悩む人は、精神安定剤、睡眠薬、音楽を聞く、安眠枕を使用、アロマテラピーなどの対処をしているが、いずれも人によって効く、効かないなどの個人差がある。
【発明の開示】
【発明が解決しようとする課題】
【０００３】  したがって、睡眠を促進し、短時間でリラックス効果をもたらす為には、副作用などの心配がなく、赤ちゃんから成人まで使用でき個人差を極めて少なくできるものが必要であった。
【課題を解決するための手段】
【０００４】  本発明は、人間の体から出る、さまざまな音の中で寝息に着目し、赤ちゃんの寝入りばなや成人の就寝時に、その呼吸音を一定時間に録音されたＣＤを聴くことによって、安心や精神安定を促し、不眠を解消するものとした。【０００５】  また、鼻呼吸、口呼吸、鼻呼吸と口呼吸が合わされたもの、３つの音源が別々に録音されており、その個人にもたらす睡眠効果の高いものを選んで聴くことができ、より多くの人に対応できるようになっている。【０００６】  さらに、鼻呼吸、口呼吸、鼻呼吸と口呼吸が合わされたものを、レム睡眠、ノンレム睡眠の交換平均時間を元に２０分づつ録音されている。
【発明の効果】
【０００７】  本発明の寝息ＣＤは、人間の呼吸音によって赤ちゃんの眠りを誘い、夜鳴きを緩和させる睡眠促進効果がある。【０００８】  また、成人に対しても不眠の解消や、リラックス効果を発揮するものである。
【発明を実施するための最良の形態】
【０００９】  本発明は、寝息の音を音源に録音されたものの為、ＣＤのみならず、ＭＤ、ＣＤ−Ｒ、ＤＶＤ、ＤＶＤ−Ｒ、カセットテープなどでも良い。  実施用途として、家庭や職場などで、ＣＤプレイヤー、コンポ、ラジオカセットプレイヤーなどで再生し、上述した睡眠促進、リラックス効果を得られる。また、ストレス解消や癒し効果にも応用できる。
(57)【要約】      （修正有）【課題】高所や、その他、手の届かない場所へ脚立や、足場無しで容易に、安全に、水、洗剤、薬剤等を散布する事が出来る用具の提供。【解決手段】パイプの先に霧噴射装置を取り付け、手元レバーを操作することにより、高所などに用途に応じて水、洗剤、薬剤等を散布する用具。【選択図】図１
2006334355.tif 000002
【特許請求の範囲】
【請求項１】
パイプの先に，霧噴射装置を取り付け、手元レバーを操作する事によって、高所や，その他の手の届かない場所へ用途に応じて、水、洗剤、薬剤等を散布する事が出来る。
【請求項２】
用具パイプの先に、美装用具や拭取り用具を取り付ける事が出来る。
【請求項３】
パイプは、伸縮出来る様にもなる。
【請求項４】
霧噴射装置のノズルの先は、角度が変えられる様になっている事が特徴である。
【発明の詳細な説明】
【技術分野】
【０００１】  本発明は、散水用具に関する物であり、霧噴射装置とパイプ、レバーに工夫を加える事によって、手の届かない場所へ容易に、かつ安全に水、洗剤、薬剤等を散布する事が出来る様にした用具である。
【背景技術】
【０００２】  従来から、手元で噴射する用具や、空気を圧縮して薬注散布する用具は沢山利用されている。
【特許文献１】  特許文献は、知りません。
【非特許文献１】  非特許文献は、知りません。
【発明の開示】
【発明が解決しようとする課題】
【０００３】  高い所や、その他手の届かない場所へ、水、洗剤、薬剤等の噴射や、拭取りができないために脚立に上ったり、足場を組んだ所に上って作業するので、非常に危険である。又、脚立や足場を用意する不便さがある。本発明は、この様な不都合を解決する事を課題とする。
【課題を解決するための手段】
【０００４】  この課題を、解決するための請求項１の発明は、パイプの先に噴射装置を取り付け手元のレバーを操作する事によって、高所や、その他の、手の届がない場所へ、用途に応じて、水、洗剤、薬剤等を噴射出来る。【０００５】  また、請求項２の発明は、パイプの先に拭取り用具を取り付ける事によって、一本のパイプで、散布と拭取りが出来る様にしたこと。【０００６】  請求項３の発明は、持ち運びや保管に便利な、伸縮形にも出来る。
【発明の効果】
【０００７】  天井面に取り付けたエアコンのフェース、換気扇や、照明器具のフェースの洗浄や、拭取りが安全に、容易に出来る様になった。【０００８】  厨房の壁の油汚れや、公衆浴場の高所の壁のカビ等の汚れも、脚立や、足場など無しで、安全に手の届かない場所の清掃作業ができる。【０００９】  手の届かない軒下の害虫に薬注散布し、安全に退治することができた。
【発明を実施するための最良の形態】
【００１０】  図１は、パイプの先端に噴射装置を取り付けて、取っ手と噴射レバーを取り付けて、レバーを操作すると芯棒で力を伝える事を特徴とする。又、力の伝達方法は糸糸状の物でもよい。【００１１】  図２は、パイプの先端に、拭取り用具を着脱可能にしている事を特徴とする。【００１２】  図３は、パイプが一体形を特徴とする。【００１３】  図４は、パイプが伸縮する形を特徴とする。
【産業上の利用可能性】
【００１４】本発明の散水用具は、利用用途が多様である。又、工業的に量産できるので、産業上の利用の可能性は多大にある。
【図面の簡単な説明】
【００１５】
【図１】  パイプに噴射装置、取っ手、レバー、動作を伝える芯棒を組み込んだ姿図と透視図である。
【図２】  パイプの先に、美装用具を取り付ける脱着部品である。
【図３】  パイプ一体形の図面である。
【図４】  パイプ伸縮形の図面である。
【図５】  パイプの中に、噴射装置、原液タンクを組み込んだ透視図である。
【符号の説明】
【００１６】１      手元レバー
２      パイプ
３      噴射装置
４      変角ノズル
５      噴射伝達芯棒
６      噴射調整つまみ
７      噴霧原料タンク
８      噴射装置固定キャップ
９      取っ手
１０    取っ手、分解用キャップ
１１    美装用具取付備品
１２    美装用具取付角度調整部品
１３    美装用具（用途に合わせて諸々の形）
１４    原液タンクキャップと噴射装置固定部品
１５    原液タンクキャップ
１６    エアーがみ防止チューブ
１７    ボール球
１８    バネ
１９    原液タンク座
２０    霧ノズル
【図１】
2006334355.tif 000003
【図２】
2006334355.tif 000004
【図３】
2006334355.tif 000005
【図４】
2006334355.tif 000006
【図５】
2006334355.tif 000007
(57)【要約】【課題】  従来の取付方法では、見た目が悪く尚且つ家具表面や壁、天井等に傷を付けるものも有った。したがって必要にもかかわらず、取付をしないことが多かった。それを解消すべく家具等の内側に取り付ける、転倒防止装置を提供する。【解決手段】  家具等の内側（１）に取り付けられ、普段は目立つことがなく、地震で家具等が揺れ、倒れる寸前家具等が前後し、前面が持ち上がった時のみに作動（２）・（３）し、家具等の転倒を防止する事を特徴とする。【選択図】  図１
2006334360.tif 000002
【特許請求の範囲】
【請求項１】
地震などにより、家具やスチール棚、電化製品等が前後に揺れた際、前方下部のみを持ち上げ、転倒を防止する装置で、その取り付け場所は、家具等の内側で外観を損ねないものである。
【発明の詳細な説明】
【技術分野】
【０００１】  この発明は、家具やスチール棚、電化製品等の前方下部内側に取り付け、地震等の際転倒を防止するものである。
【背景技術】
【０００２】  従来の取付方法では、見た目が悪く尚且つ家具や壁、天井等に傷を付ける事が有った。
【発明の開示】
【発明が解決しようとする課題】
【０００３】  従来、次のような問題点が有った。
見た目が悪く、取り付け時に家具や壁・天井等に傷やネジの跡がついた。
本発明は、家具等の前方下部内側に取り付け
通常時取り付けて有ることが目立たず、転倒しそうに成った場合のみ、その役目を果たすというものである。
【課題を解決するための手段】
【０００４】  普段は、家具等の前方下部内側に収納されており、転倒しそうに成った場合のみ、家具等の前方を持ち上げる足が出る仕組みである。
【発明の効果】
【０００５】  普段は、家具等の前方下部内側に収納されている為に目立つ事が無く、振動により家具等が転倒しそうに成った場合のみ、足が出ることで、家具等の前方を持ち上げ転倒を防止する為、外観を損ねる事が無い。
取り付け方法も家具等の前方下部の内側に成る為、家具表面や壁・天井・床に傷をつける事が無い。
【発明を実施するための最良の形態】
【０００６】  以下、本発明の実施例について説明する。
（１）のスプリングにて、ツッパリ足を床面に押し付けた状態で、家具等前面下部内側に取り付ける。
地震等の揺れにより、家具前面が床面より浮き上がると同時に、（３）ツッパリ足が１段階・２段階と揺れの増幅を抑えながら押し出され、（２）カムにて固定され、家具等の前面を持ち上げる事により、家具等の前面への転倒を防止する事ができる。
【図面の簡単な説明】
【０００７】
【図１】本発明の断面図
【符号の説明】
【０００８】（１）  通常時の取り付け状態
（２）  揺れが始まった時の状態（揺れにより家具の前方が持ち上がった状態）
（３）  揺れが大きくなり、ツッパリ足が飛び出し、固定された状態
【図１】
2006334360.tif 000003
(57)【要約】【課題】  本発明は、バッグを肩にかけ歩くなど作業をすると、だんだんずり落ちてくるためそれを防ぐための、バッグの肩からずれ落ち防止装具を提供する。【解決手段】  すべり止め用部材の両脇に布地を縫いつけ、その両布地の各片面部分に面ファスナーを設け、布地を面ファスナーで止めた時に出来る輪になる部分にバッグの持ち手をはさみ、すべり止め部分を肩側に当てバッグが滑り落ちるのを防ぐ事を特徴とする、バッグの肩からずれ落ち防止装具。【選択図】      図１
2006334358.tif 000002
【特許請求の範囲】
【請求項１】
すべり止め用部材の両脇に布地を縫いつけ、その両布地の各片面部分に面ファスナーを設け、布地を面ファスナーで止めた時に出来る輪になる部分にバッグの持ち手をはさみ、すべり止め部分を肩側に当てバッグが滑り落ちるのを防ぐ事を特徴とする、バッグの肩からずれ落ち防止装具。
【発明の詳細な説明】
【技術分野】
【０００１】  本発明は、バッグを肩にかけ歩くなど作業をすると、だんだんずり落ちてくるため、それを防ぐための、バッグの肩からずれ落ち防止装具に関するものである。
【背景技術】
【０００２】  従来、外出するときショルダーバッグは肩にかけ出歩いていた。
【特許文献１】
【発明の開示】
【発明が解決しようとする課題】
【０００３】そのために、次のような問題点があった。
（イ）すべり止めが無くしょっちゅう肩からずり落ちてきた。
（ロ）初めからずり落ち防止の肩当がついているものもあるが、外見が固く又、取り外しも出来ず他への転用ができない。
（ハ）今まですべり止めであまり肩に負担をかけない手軽なものが無かった。
本発明は以上の問題点を解決しようとするものである。
【課題を解決するための手段】
【０００４】  すべり止め用部材の両脇に布地を縫いつけ、その両布地の各片面部分に面ファスナーを設け、布地を面ファスナーで止めた時に出来る輪になる部分にバッグの持ち手をはさみ、すべり止め部分を肩側に当てバッグが滑り落ちるのを防ぐ。以上を特徴とする、バッグの肩からずれ落ち防止装具である。
【発明の効果】
【０００５】  本発明は、肩からバッグがずり落ちる不便さの解決を最大の目的としているが、取り外しも簡単に出来るため、他のバッグでも使えるのが特徴である。色や柄にも目を向けあらゆる世代やニーズにこたえる事が出来る。使わないときは持ち手につけたままで装飾性を兼ね備えるほか、スーパーでの買い物袋の持ち手のカバーとしても利用価値がある。
【発明を実施するための最良の形態】
【０００６】以下、本発明の実施の形態を説明する。
（イ）  ゴム素材で出来ているすべり止め用部材（１）を布地（２）（３）で両方からはさみ込むように縫い合わせる。
（ロ）  はさんで縫い付けた布地（２）の表面（４）に面ファスナー（５）を設け、もう一方の布地（３）の裏面（６）に面ファスナー（７）を設ける。
本発明は、以上の構成よりなっている。
本発明を使用するときは、バッグの持ち手（８）にすべり止め用部材（１）が肩に当たるよう内側になるように面ファスナー（５）と面ファスナー（７）にくるんで固定する。そうして肩からバッグ（９）を下げてもずり落ちる心配が無い。その結果、両手も使いやすい。
本発明は以上の要点であるが、次のような実施例も発明者は創作している。
（図５）に示すようにバッグを手に持つなどして本装具が不用の時は、持ち手（８）のどこの部分にでも巻きつけて装飾として使える。又（図６）のようにバッグからはずして買い物袋（１０）の持ち手として利用すれば、ビニール等が手に食い込んで痛くなる事も防げる。又、バッグの持ち手が二本のものもあるが、面テープで調整が利き充分対応が出来る。
バッグの素材も皮、エナメル、籐，布などいろいろあるため（図７）で示すようにかわいい色柄のもの、和装布地のものにしたり、チョットした飾り（１１）をつけて楽しむ事も出来る。
【図面の簡単な説明】
【０００７】
【図１】  本発明の斜視図
【図２】  本発明の分解展開図
【図３】  本発明の使用説明図
【図４】  本発明の取付けの斜視図
【図５】  本発明の不必要の斜視図
【図６】  本発明の他実施例の説明図
【図７】  本発明の他実施例の説明図
【符号の説明】
【０００８】  １    すべり止め部材
２    布地
３    布地
４    表面
５    面ファスナー
６    裏面
７    面ファスナー
８    持ち手
９    バッグ
１０    買い物袋
１１    飾り
【図１】
2006334358.tif 000003
【図２】
2006334358.tif 000004
【図３】
2006334358.tif 000005
【図４】
2006334358.tif 000006
【図５】
2006334358.tif 000007
【図６】
2006334358.tif 000008
【図７】
2006334358.tif 000009
(57)【要約】      （修正有）【課題】  使用に際して臭いの発生が無くて快適に使用できる酸化加熱タイプのカイロを提供する。【解決手段】ベース材に白金が付着されて構成される酸化加熱用触媒体８がバーナー５部分に使用されるカイロにおいて、ベース材としてセラミック繊維を用いるカイロ。セラミックス繊維を使用しての不織布等のベースの製造に際して、接着剤を使用していないことによって、臭いの発生が顕著に減少する。また、酸化チタンの熱作用により消臭効果が高められている。【選択図】  図１
2006334354.tif 000002
【特許請求の範囲】
【請求項１】
ベース材に白金が付着されて構成される酸化加熱用触媒体がバーナー部分に使用されるカイロにおいて、
前記ベース材としてセラミック繊維が用いられることを特徴とするカイロ。
【請求項２】
ベース材に白金が付着されて構成される酸化加熱用触媒体がバーナー部分に使用されるカイロにおいて、
前記ベース材としてセラミック繊維が用いられるとともに、前記ベース材上に前記白金にくわえて酸化チタン、銀が付着されてなることを特徴とするカイロ。
【発明の詳細な説明】
【技術分野】
【０００１】  この発明は、白金を触媒として用い気化ガスとなった燃料オイルを酸化加熱して暖を得るカイロに関する。
【背景技術】
【０００２】  バーナー部分に白金触媒を設け、その白金触媒によりタンク内の燃料オイルが気化ガスとなったものを長時間わたって酸化加熱し、それにより暖を得るタイプのカイロがある。
【発明の開示】
【発明が解決しようとする課題】
【０００３】  この種タイプの従来品の場合、どうしてもその使用に際して臭いが発生し、この臭いは使用者、周囲の者が気になり、また、衣類に臭いが移るというような基本的な問題があった。上記の臭いの発生は、従来品においては酸化加熱用触媒体のベース材としてクラスファイバーを使用しており、そのグラスファイバーを一体に固定してベース材を製造する際には接着剤が必要とされ、使用に際してその接着剤が燃焼することに起因すると推定される。【０００４】  この発明は上記の事情に鑑みて行なったもので、使用に際して臭いの発生が無く、快適に使用できる酸化加熱タイプのカイロを提供することを目的とする。
【課題を解決するための手段】
【０００５】  請求項１の発明では、ベース材に白金が付着されて構成される酸化加熱用触媒体がバーナー部分に使用されるカイロにおいて、前記ベース材としてセラミック繊維が用いられる構成とした。【０００６】  請求項２の発明では、ベース材に白金が付着されて構成される酸化加熱用触媒体がバーナー部分に使用されるカイロにおいて、前記ベース材としてセラミック繊維が用いられるとともに、前記ベース材上に前記白金にくわえて酸化チタン、銀が付着されてなる構成とした。【０００７】  上記請求項１の発明の構成によれば、従来の酸化加熱用触媒体のベース材としてガラス繊維を用いたものに比較して、使用に際しての燃料酸化に伴う臭いの発生の軽減が顕著に確認された。これはセラミック繊維を用いての不織布等のベース材の製造に際して何ら接着剤を必要としない点に起因すると推定される。【０００８】  請求項２の発明の構成によれば、酸化チタンの熱反応によりさらに消臭効果が高かめられることが確認され、くわえて、酸化チタン、銀による抗菌作用が併せ発揮されるカイロが得られる。
【発明の効果】
【０００９】  請求項１および請求項２の発明によれば、使用に際して臭いの発生が無く、快適に使用できる酸化加熱タイプのカイロが得られる。とくに、請求項２の発明によれば、抗菌性能に優れる衛生的なカイロが得られる。
【発明の実施をするための最良の形態】
【００１０】  図１はこの発明のカイロの実施形態の分解図であり、カイロ１は金属製容器よりなるタンク２と、タンク２の上部開口３部分に装着されるバーナー５と、バーナー５部分を覆うように装着されるキャップ７とからなる。カイロ１は通常袋体内に収納される状態で使用される。
【００１１】  上記タンク２内にはアルコールを主成分とする燃料オイルを吸収保持する綿体が、バーナー２には酸化加熱用触媒体８がそれぞれ装着されている。
【００１２】  上記酸化加熱用触媒体８はベース材であるセラミック繊維よりなる不織布の表面に白金が０．４重量％の割合で付着されて形成されたものであり、セラミック繊維よりなる不織布が白金が混入された硫酸液に浸漬されることで得られる。
【００１３】  上記酸化加熱用触媒体８を装着したバーナー５部分に点火してカイロ１を使用した際、従来品おけるような臭いの発生は殆ど無いことが確認された。
【００１４】  さらに、酸化加熱用触媒体８としてベース材であるセラミック繊維よりなる不織布の表面に、白金が０．４重量％の割合で、酸化チタンが０．１重量％の割合で、さらに銀が０．１重量％の割合でそれぞれ付着されて形成されたものを用いた場合、カイロ１の使用に際してさらに臭いの発生が無くなることが確認された。また、このカイロ１は抗菌性能を発揮することが確認された。ここで用いる酸化加熱用触媒体８も、セラミック繊維よりなる不織布が白金、酸化チタン、銀が混入された硫酸液に浸漬されることで得られる。
【００１５】  また、上記カイロ１において燃料オイルに檜、杉、もみ等の樹木の抽出液を２〜８重量％の割合で混入したものを用いた場合、使用に際し消臭機能がさらに高められるとともに、芳香が発せられることによりアロマテラピー効果が得られた。くわえて、小虫の忌避効果も認められ、ペット等に使用した際にダニの発生が抑制されることが確認された。
【図面の簡単な説明】
【図１】  この発明のカイロの実施形態の分解図
【符号の説明】
１  カイロ
２  タンク
５  バーナー
７  キャップ
８  酸化加熱用触媒体
【図１】
2006334354.tif 000003
(57)【要約】      （修正有）【課題】靴の着脱に介添えを必要とする幼児や老人が着用する靴で、介添え者の時間的負担を大幅に軽減することを課題とする。【解決手段】靴の甲部と踵部上部を切り離し、かつ、底部前部と底部踵部の間を頂点とするへの字状の靴底にし、未着用通常時において、靴の開口部を大きく開いて、自立するようにし、被介添え者が介添え者の手を煩わせることはなく、足を挿入できるようにする。このことによって、介添え者は、被介添え者の靴の着用準備と靴への挿入時の待機時間を省くことができ、足挿入後の締結のみ、介添えすればよいので、介添えの制約時間を大幅に軽減できる。【選択図】図１
2006334359.tif 000002
【特許請求の範囲】
【請求項１】
靴の甲部と踵上部を切り離し、ゴムなどの弾性体で作られた靴底は、未着用の通常時、足の挿入が容易なように、前後中央で折れ曲げ、への字の形状にし、そして、足の挿入後は、体重により弾性変形で平坦になるような弾性を有すると共に、甲部と踵上部を締結するための手段を有することを特徴とする靴。
【請求項２】
請求項１の靴において、未着用通常時、自然放置の状態で、靴が転倒しないように、踵部底面コーナ部を平坦にしたことを特徴とする。
【発明の詳細な説明】
【技術分野】
【０００１】  着脱に介添えが必要な幼児や老人のための靴に関する。
【背景技術】
【０００２】  介添えを必要とする人が着用して便利な靴としては、下記のような特許が出願されている。
【特許文献１】  特開２００１−３４０１０８
【特許文献２】  特願平６−２８３１９９
【発明の開示】
【発明が解決しようとする課題】
【０００３】  従来の靴では、脱着するとき、踵部上部が足の踵を干渉し、足が挿入できないため、甲部の開きの部分を手でサイド方向に押し広げ、開口部を広くして足を挿入し、挿入後は、ひもやファスナーによって、甲部を締付け、足に密着させている。【０００４】  介添え者が、被介添え者に靴をはかせるときは、まず、介添え者が靴の甲部を広げる作業をし、次に被介添え者が足を靴に挿入し、その後介添えが、甲部を閉じ、締結具の締付けの作業をする必要がある。したがって、介添え者は、被介添え者が靴の着用前の準備と足を挿入した後の締結具の締付の操作をする必要がある。介添えにおいても、被介添え者の自主性を尊重して、足の挿入はできるだけ手出しせず、どれだけ時間がかかっても、足の挿入まで待つ必要がある。このため、介添え者は、被介添え者の靴の着手の準備から、着用、締結確認まで、監視、待機する必要があり、多大な時間が取られている。特に、被介添え者が多勢になると、靴をはくだけで多大な負担となり、介護あるいは屋外活動を実施する制約となっていた。
【課題を解決するための手段】
【０００５】  靴の着用前の通常状態で、靴の開口部を大きく開き、いつでも被介添え者が着用できる状態にする。このために、靴の踵部側面を切り、靴底を前後にへの字形にする。そして、足を挿入後、体重をかけて靴底を平坦に弾性変形させる。その状態で、介添え者は甲部の締結具を操作し、踵部が開かないように固定する。
【発明の効果】
【０００６】  このようにすることにより、介添え者は、被介添え者の足挿入後に、締結具の操作と着用確認だけをすればよく、足の挿入操作など、自主行動時間を待つことがないので、多勢の被介添え者の場合でも、介添え者の負担、特に時間的負担は大幅に軽減される。これの結果として、被介添え者が屋外活動することが容易となり、良い介護、良い保育が進められるという効果がある。
【発明を実施するための最良形態】
【０００７】  図１は実施するための形態の説明図である。図において、１は踵部、２は甲部、３は踵部上部と甲部の切り離し部、４は締結具、５は靴底前部、６は靴底の折曲り部、７は靴底踵部、８は靴底踵部７に設けられた平坦部、９は地面である。
【０００８】  図１は、未着用の通常状態を示す図で、靴の甲部２と踵部上部１を切り離しておく。そして、靴底前部５と靴底踵部７は、折曲り部６にて、への字に曲げられ、通常状態で踵部上部１が、図のように後方にあり、開口部が広く開いた状態にする。
【０００９】  この状態で、靴は図１に示すように、自立するように、靴底踵部７には、平坦部８を設ける。そして、締結具４は、靴を脱ぐ時点でフリーにしてあるので、靴はいつでも足を入れることができるようにしておく。これが未着用の通常状態である。
【００１０】  図２は、被介添え者の足１０が挿入され、靴に体重をかけ、介添え者により締結具４と締結した後の状態を示す図である。この図の状態になるまでに、被介添え者は、図１のような状態の靴に足を挿入するが、このとき、靴の開口部は大きく開いているので、介添え者は特に手助けすることはない。そして、被介添え者が靴に足を挿入し、立ち上がると、体重のために、靴底の折曲り部６が曲げられ、靴底前部５と靴底踵部７が、図２に示すように、全体が地面９に接するようになる。この段階で、介添え者が締結具４を締結することにより、被介添え者の足１０に密着し、はずれることはない。
【００１１】  このように、未着用通常状態で、被介添え者の着用可能状態にあるため、すぐにでも足の挿入ができ、介添え者の手を煩わせることはない。そして、介添え者は、被介添え者が靴に足を挿入し、立ち上がったところで、締結具４を締結する作業を１回だけすればよいので、足１０、挿入作業を横で見ている必要がない。したがって、介添えの時間は著しく短縮され、被介添え者が多勢であっても、少数の介添え者で対応できる。この結果として、多勢の被介添え者でも、比較的簡単に屋外に出る行動ができるようになり、良い介護、良い保育に寄与することができる。
【図面の簡単な説明】
【００１２】
【図１】  本発明の靴の説明図で、未着用通常状態を示す図である。
【図２】  本発明の靴の説明図で、被介添え者が足を挿入し、介添え者が締結具を締結した状態の図である。
【符号の説明】
【００１３】１  …本発明の靴の踵部
２  …甲部
３  …甲部と踵部上部の切り離し部
４  …締結具
５  …靴底前部
６  …靴底折曲り部
７  …靴底踵部
８  …踵部後方の平坦部
９  …地面
１０…被介添え者の足
【図１】
2006334359.tif 000003
【図２】
2006334359.tif 000004
(57)【要約】【課題】  発明の課題を簡潔に記載して下さい。  幼児、子供、大人まで寝相の悪さで敷布団からはみ出し寝冷えしたり、風邪を引いたり、子供の場合壁に頭をぶつけ夜泣したりするケースがあった。【解決手段】      発明の解決手段を簡潔に記載して下さい。  そして、本発明はこれらの心配事を解決する為に、敷布団の廻りにコの字型に空気の入ったエアークッションで柵変わりに囲み、敷布団を一つの空間にし、敷布団からはみ出す事を阻止する為に考えた寝具である。そしてカバーが癒しをも付け加える。【選択図】  図１
2006334356.tif 000002
【特許請求の範囲】
【請求項１】
本発明はコの字型をしたビニール製又は布製でできた半円型のエアークッションで、その発明品の中に敷布団を敷き使用する様に成っている。その事によって寝相の悪さで敷布団から体をはみだす事を解消した寝具である。エアークッションの収納もコンパクトで、エアーを抜き小さく折畳みも可能である。
【請求項２】
エアークッションを、見栄えと手触りをより良くする為にカバーを付ける事によってより意心地の良いものとした。また、汚れたら取り外して洗濯もできる優れものである。
【発明の詳細な説明】
【技術分野】
【０００１】  本発明は、一般家庭の意心地の良さを図った寝具。
【背景技術】
【０００２】
【特許文献１】  特開２００３−２０４８４２
【特許文献２】  特表２００４−５００２２１
【非特許文献１】
【非特許文献２】
【発明の開示】
【発明が解決しようとする課題】
【０００３】  幼児、子供、大人まで寝相の悪さで敷布団からはみ出し気付けば寒くて起きてしまったり、風邪を引いたり、子供の場合壁に頭をぶつけ夜泣したりするケースもあり、夜中父母親は大変であった。従来その様な敷布団からはみ出す事をとめる物が無くベビーベッドやベッドで対応してきたが収納するにも大変であった。【０００４】  エアークッションのバライティー化
【課題を解決するための手段】
【０００５】  そして、本発明はこれらの心配事を解決する為に、敷布団の廻りにコの字型に空気の入った半円型のエアークッションで柵変わりにし、寝相の悪さ寝返りをそれ以上敷布団から体をはみ出さない様にその囲みの中の敷布団を一つの空間にし、敷布団からはみ出す事を阻止する為に考えた寝具である。収納もコンパクトでありエアーの入り抜け口から空気を抜き小さく畳める様になっている。【０００６】  エアークッションを使用される年齢・目的に合わせてキャラクターものや風景ものでカバーを着ける事によって心までの癒しの空間を実現的にした。
【発明の効果】
【０００７】  上述したように本発明の寝具は、敷布団からはみ出す事を無くすとともに、体調も管理し、尚、子供の夜泣きの心配も無く使用者の快適な夜・仮眠を提供できる。それと押入れ・タンスに収納も可能とした。【０００８】睡眠する事が依り気持ちの良いものと成った。
【発明を実施するための最良の形態】
【０００９】以下、本発明の実施の形態を図１〜図５に基づいて説明する。
【図面の簡単な説明】
【００１０】
【図１】  エアークッション立体図
【図２】  エアークッション横断面図
【図３】  エアークッション縦断面図
【図４】  カバー立体図
【図５】  カバー展開図
【図１】
2006334356.tif 000003
【図２】
2006334356.tif 000004
【図３】
2006334356.tif 000005
【図４】
2006334356.tif 000006
【図５】
2006334356.tif 000007
(57)【要約】【課題】ロールペーパーを卓上に置いたまま簡単に当て板で切断できすべり止めのいらないロールカット。【解決手段】  ロールペーパー6をロールペーパー立て棒パイプ5に挿入し、往復移動押しパイプ8に付いたキヤップ7を押す事により、可動板4が押さえられて下に下がり、可動板4に取り付けたわん曲形当て板9が傾き、ロールペーパー6に密着し、ロールペーパー6を切断する。【選択図】図1
2006334747.tif 000002
【特許請求の範囲】
【請求項１】
箱体にロールぺーパー立て棒パイプを設け、その中に往復移動押しパイプを設け、押す事により、箱体の中の可動板が押さえられて下に下がり、可動板に取り付けた、わん曲形当て板が傾き、ロールペーパーに密着し、ロールパーパーを切断することを特徴とするロールカット。
【発明の詳細な説明】
【技術分野】
【０００１】
本発明は、当て板でロールペーパーを山形ノコギリ状の形で切断するもので、箱体の横すべりのないロールカットに関するものである。
【背景技術】
【０００２】
工場、職場において、テッシュ、布巾として手でちぎって使用していた。
【発明の開示】
【発明が解決しようとする課題】
【０００３】
解決しようとする問題点は、卓上からのロールペーパーのころがり、落下、切り口が不規則で、切断時の箱体の横移動の欠点を解決しようとするものである。
【課題を解決するための手段】
【０００４】
本発明は箱体にロールペーパー立棒パイプを設け、その中にキヤップ付往復移動押しパイプを設け、箱体の中には、スプリングが付いた可動板を設けて、押す事により、可動板が押えられて下に下がり、可動板に取り付けた、わん曲形（中央が山形で端の方がノコギリ状）当て版が傾き、ロールペーパーに密着し、ロールペーパーを切断することにより問題点を解決している。
【発明の効果】
【０００５】
本発明のロールカットは、上から往復移動押しパイプで、わん曲形当て板が付いた可動板を押して、ロールペーパーに密着させ切断するもので、箱体の横すべりのない安定したのもである。
【発明を実施するための最良の形態】
【０００６】
箱体にロールペーパー立て棒の固定パイプを設け、ロールペーパーを挿入する。ロールペーパーを必要量だけ引き出し、固定パイプの中のキャップ付往復移動押しパイプを押す事により、可動板が下に下がり可動板に付いたわん曲形当て板が傾きロールペーパーに密着する。ロールペーパーを当て板の山形の部分に当て切断する。切断後はスプリング等の力で、旧状に復し切断部が次の使用に便利な山形状の部分を残す。
【実施例１】
【０００７】
図1は本発明装置の1実施例の斜視図である。
【実施例２】
【０００８】
図2は本発明装置の使用状態を示す斜視図である。
【産業上の利用可能性】
【０００９】
箱体にマグネット等を付ければ、ゆれが大きい小型船舶にも使用できる。
【図面の簡単な説明】
【００１０】
【図１】ロールカットの実施方法を示した説明図である（実施例1）
【図２】ロールカットの使用状態を示す説明図である（実施例2）
【符号の説明】
【００１１】
１    箱体
２    可動板の心棒
３    スプリング
４    可動板
５    ロールペーパー立て棒パイプ
６    ロールペーパー
７    キャップ
８    往復移動押しパイプ
９    わん曲形当て板（中央が山形で端の方がノコギリ状）
【図１】
2006334747.tif 000003
【図２】
2006334747.tif 000004
(57)【要約】【課題】  従来の外径ネジ型埋込みナットの挿入治具は埋込みナットをロックするのに固定付きあてかロックナットを手動でロックするため埋め込みナットがロックされたままロック解除出来ずに埋込みナットを抜き戻すことがある他、ロック解除も個々の手作業を必要とする為、外形ネジ型埋め込みナットの埋め込み作業の自動化は困難な為、このロック、及びロック解除を自動化する必要がある。【解決手段】  外形ネジ型埋め込みナットの挿入ガイドネジを綾目ネジとしてロックナツトを埋め込みナットト反対の、埋め込みナットが右ネジの場合はロックナットは左ネジとすることで、埋め込みナットがロックナットに接触すると綾目ネジの作用で埋め込みナットは挿入ガイドネジに自動的にロックされ、作業完了時ガイドネジを…抜き取るときは綾目ネジの作用で自動的にロックは解除される為外形ネジ型埋め込みナットの埋め込み作業の自動化が可能になる。【選択図】          図２
2006334769.tif 000002
【特許請求の範囲】
【請求項１】
外形ネジ型埋め込みナット用のガイドネジ部を綾目ネジとし、ロック用ナットのネジ部を埋め込みナットのネジの反対方向のネジ、例えば埋め込みナットが右ネジの場合はロック用ナットは左ネジとする事を特徴とする外形ネジ型埋め込みナットの埋め込み自動化治具。
【請求項２】
請求項１のロック用ナットの先端ロック面をテーパー状として、埋め込みナットの口もとを押し広げる作用を兼ねる様にした、外形ネジ型埋め込みナツトの埋め込み自動化治具。
【発明の詳細な説明】
【技術分野】
【０００１】  本発明は、軽合金・モールド製品等のネジ孔の強化や、修正等に使用する外形ネジ型埋め込みナットの挿入埋め込み作業に使用する治具のガイドネジに埋め込みナツトを固定するためのロック機構として、従来突き当て式かロックナット方式しか無く、埋め込み後ロックが解除されずに埋め込んだナツトを抜き戻す事故も多く、手作業用治具しか出来ていなかったため、埋め込みナツトのガイドネジのロック及びロック解除を自動化することでで、外形ネジ型埋め込みナットの埋め込み作業の自動化用治具が提供出来る。
【背景技術】
【０００２】  従来外径ネジ型埋め込みナットのガイドネジに対するロック方式には突き当て式とロツクナット式があり、ロックナツト式には当社開発に拠る対抗ネジ方式がある。
【特許文献】  実用新案登録第２５４００１１号  実用新案登録第３１０８１０２号
【非特許文献】
【発明の開示】
【発明が解決しようとする課題】
【０００３】  外径ネジ型埋込みナットの埋め込み用治具に外形ネジ型埋め込みナットを装着するには挿入ガイドネジに突き当て部を設けて突き当ててロックするか、埋め込みナットの前にロツクナツトを入れこれを手動で締めつけて埋め込みガイドネジに固定しているが、ロック解除が出来ず埋め込みナットを抜き戻す事も有り、埋め込みナットのロック及びロック解除は手作業に拠るしかなく、作業の連続自動化は困難とされていた。
【課題を解決するための手段】
【０００４】  外形ネジ型埋め込みナットの埋め込み用治具の先端部埋め込みナット用ガイドネジの奥ロック用ネジを先端ガイドネジに対し反方向、先端ガイドネジが右ネジの場合は左ネジとしてロックナツトも左ネジとするか、ガイドネジをロックネジ部を含め綾目ネジとしてロックナットは埋め込みナットと反方向のナットを使用することでロック及びロック解除作作業を自動化できる。
【発明の効果】
【０００５】  本発明に於いて埋め込み用ガイドネジを埋め込みナットにねじ込み、埋め込みナットがロックナットのロック面に接触すると同時にロックナットの逆ネジの効果によってロック面が埋め込みナットを押しつける力が働き埋め込みナットは自動的にガイドネジにロックされるが、ナット埋め込み作業を終了して、埋め込みガイドネジを埋め込みナットから抜き取る方向に回転しようとすると、逆ネジの効果によってロック面が埋め込みナットから自動的に引き離されるのでロック解除ミスの無い自動ロック機構が提供できる。【０００６】  本発明のガイドネジ部とロックネジ部を共有の綾目ネジとして、ロックナットのロック面をテーパー加工することで、埋め込みナットの口元を押し広げる効果によって埋め込みナットの抜け戻り防止効果が得られる。
【発明を実施するための最良の形態】
【０００７】  本発明の実施形態として、使用する埋め込みナットの内径ネジ経の綾目ネジを先端部に設けたロットと、ロック面をテーパー加工したロックナットで構成される外形ネジ型埋め込みナット用埋め込み自動化治具。
【実施例１】
【０００８】  本発明の実施例を図に拠って説明すると、図１は発明の基本実施例であって、治具本体の回転軸（１）の先端部は挿入埋め込みナットのガイドネジ（２）が設けられ、その胴付きの上部はガイドネジの逆ネジのロック用ネシ（３）が設けられロック用ネジに羅合するロックナット（４）が羅合されていてロックナツト（４）のロック面（５）は軸（１）の回転によつてガイドネジ（２）が埋め込みナット（６）にねじ込まれ、埋め込みナットの上面（７）に接触するとロックナツト（４）はロック用ネジ（３）の作用で埋め込みナット（６）を押し付ける力が働き、埋め込みナット（６）はガイドネジ（２）に自動的にロックされる。又被加工物（８）に埋め込み加工終了時埋め込みナット（６）からガイドネジ（２）を抜き取る為軸（１）を逆転しようとするとロック用ネジ（３）とガイドネジ（２）の作用で埋め込みナット上面（７）とロツクナットのロツク面（５）を引き離す力が働きガイドネジ（２）と埋め込みナット（６）のロックは自動的に解除され埋め込みナット（６）からガイドネジ（２）が抜き取れる。
【実施例２】
【０００９】  図２は本発明の応用実施例で治具本体の回転軸（１）の先端部をガイドネジ（２）とロック用ネジ（３）共用の綾目ネジ（２．３）とし、埋め込みナットと逆のネジ（３）を切ったロツクナツト（４）の両ロック面（５）の片方をテーパー面として、埋め込みナット（６）の口元を押し広げる効果を付加する事ができる。
【産業上の利用可能性】
【００１０】  本発明は全ての外形ネジ型埋め込みナットの埋め込み用治具と埋め込みナットのロック作業を自動化することで埋め込み全行程の自動化が可能な外形ネジ型埋め込みナット用埋め込み治具が提供出来る。
【図面の簡単な説明】
【００１１】
【図１】基本実施例を示す図である。
【図２】応用実施例を示す図である。
【符号の説明】
【００１２】１……本体回転軸
２……ガイドネジ
３……ロックネジ
４……ロックナット
５……ロック面
６……埋め込みナット
７……埋め込みナット上面
８……被加工母材
【図１】
2006334769.tif 000003
【図２】
2006334769.tif 000004